(57)【要約】【課題】低コスト化を図るとともに、鍵を用いる一般的なコインロッカーと同様の手軽さで利用できるようにし、また、多目的性（多用途性）を高める。【解決手段】遠隔操作により施錠又は解錠される開閉扉３ａ…を有する複数のロッカー２ａ，２ｂ…２ｉを備えるシステムであって、少なくともロッカー２ａ，２ｂ…２ｉの指定及び暗証番号の入力を行う操作部１１を有し、この操作部１１により指定したロッカー２ａ…に対して施錠又は解錠を行う制御信号Ｓｃを出力する管理装置１０を備え、利用者が操作部１１を操作し、ロッカー２ａ…の指定及び暗証番号の入力を行うことにより施錠又は解錠できるようにする。【選択図】図１
2004272332.tif 000002
【特許請求の範囲】
【請求項１】
遠隔操作により施錠又は解錠される開閉扉を有する複数のロッカーを備えるロッカーシステムにおいて、少なくともロッカーの指定及び暗証番号の入力を行う操作部を有し、この操作部により指定したロッカーに対して施錠又は解錠を行う制御信号を出力する管理装置を備え、利用者が前記操作部を操作し、ロッカーの指定及び暗証番号の入力を行うことにより施錠又は解錠できるようにしたことを特徴とするロッカーシステム。
【請求項２】
前記管理装置は、少なくとも案内を表示する表示部を備えることを特徴とする請求項１記載のロッカーシステム。
【請求項３】
前記管理装置は、課金機を備えることを特徴とする請求項１又は２記載のロッカーシステム。
【請求項４】
遠隔操作により施錠又は解錠される開閉扉を有する複数のロッカーと、少なくともロッカーの指定及び暗証番号の入力を行う操作部を有し、この操作部により指定したロッカーに対して施錠又は解錠を行う制御信号を出力する管理装置とを備えるロッカーシステムを利用し、利用者が選択したロッカー（所定ロッカー）に品物を入れた後、前記操作部による前記所定ロッカーの指定及び暗証番号の入力により、前記所定ロッカーを施錠するとともに、管理者が前記操作部による操作又はマスタキーにより、前記所定ロッカーを解錠して品物を受取れるようにしたことを特徴とする品物受取方法。
【請求項５】
前記管理者が前記所定ロッカーに処理後の品物を入れた後、前記操作部による操作又はマスタキーにより施錠するとともに、前記利用者が前記操作部による前記所定ロッカーの指定及び暗証番号の入力により、前記所定ロッカーを解錠して処理後の品物を受取れるようにしたことを特徴とする請求項４記載の品物受取方法。
【請求項６】
前記ロッカーシステムは、コインランドリに設置することを特徴とする請求項４記載の品物受取方法。
【発明の詳細な説明】
【０００１】
【発明の属する技術分野】
本発明は、遠隔操作により施錠又は解錠される開閉扉を有する複数のロッカーを備えるロッカーシステム及びこのロッカーシステムを利用した品物受取方法に関する。
【０００２】
【従来の技術】
従来、遠隔操作により施錠又は解錠される開閉扉を有する複数のロッカーを備えるロッカーシステムとしては、例えば、特開２００２−１０９６３０号公報で開示されるリモート制御システムが知られている。
【０００３】
このリモート制御システム（ロッカーシステム）は、携帯電話機のような制御端末によって、ロッカーを遠隔操作する場合に、制御端末の発信者番号をロッカー制御機に記憶させるとともに、ロッカーの施錠後、同じ制御端末から発信者番号の通知を受けると、解錠させて、利用料の計算がされるものであり、これにより、第三者の不正利用が防止されるとともに、鍵を不要にして鍵の紛失などの問題が解消される。
【特許文献１】
特開２００２−１０９６３０号公報
【０００４】
【発明が解決しようとする課題】
しかし、上述した従来のロッカーシステム（リモート制御システム）は、次のような不具合があった。
【０００５】
第一に、携帯電話機のような制御端末を必要とするなど、システムが複雑となり、実施に際してかなりのコストを伴うとともに、利用者が手軽に利用することができない。
【０００６】
第二に、基本的には、貸しロッカーの域を出ないため、利用目的として、利用者が品物を一定期間預けておくことができるのみであり、多目的性（多用途性）に欠ける。
【０００７】
本発明は、このような従来の技術に存在する課題を解決したものであり、システムの簡略化により低コストに実施できるとともに、鍵を用いる一般的なコインロッカーと同様の手軽さで利用でき、しかも、貸しロッカー以外の多目的に利用できるなど多目的性（多用途性）に優れたロッカーシステム及び品物受取方法の提供を目的とする。
【０００８】
【課題を解決するための手段及び実施の形態】
本発明に係るロッカーシステム１は、遠隔操作により施錠又は解錠される開閉扉３ａ…を有する複数のロッカー２ａ，２ｂ…２ｉを備えるシステムであって、少なくともロッカー２ａ，２ｂ…２ｉの指定及び暗証番号の入力を行う操作部１１を有し、この操作部１１により指定したロッカー２ａ…に対して施錠又は解錠を行う制御信号Ｓｃを出力する管理装置１０を備え、利用者が操作部１１を操作し、ロッカー２ａ…の指定及び暗証番号の入力を行うことにより施錠又は解錠できるようにしたことを特徴とする。この場合、好適な実施の形態により、管理装置１０には、少なくとも案内を表示する表示部１２を設けることができるとともに、課金機１３を設けることができる。
【０００９】
また、本発明に係る品物受取方法は、遠隔操作により施錠又は解錠される開閉扉を３ａ…有する複数のロッカー２ａ，２ｂ…２ｉと、少なくともロッカー２ａ，２ｂ…２ｉの指定及び暗証番号の入力を行う操作部１１を有し、この操作部１１により指定したロッカー２ａ…に対して施錠又は解錠を行う制御信号Ｓｃを出力する管理装置１０とを備えるロッカーシステム１を利用し、利用者が選択したロッカー（所定ロッカー）２ａ…に品物を入れた後、操作部１１による所定ロッカー２ａ…の指定及び暗証番号の入力により、所定ロッカー２ａ…を施錠するとともに、管理者が操作部１１による操作又はマスタキーにより、所定ロッカー２ａ…を解錠して品物を受取れるようにしたことを特徴とする。この場合、好適な実施の態様により、管理者が所定ロッカー２ａに処理後の品物を入れた後、操作部１１による操作又はマスタキーにより施錠するとともに、利用者が操作部１１による所定ロッカー２ａ…の指定及び暗証番号の入力により、所定ロッカー２ａ…を解錠して処理後の品物を受取れるようにすることができる。また、ロッカーシステム１は、コインランドリに設置することができる。
【００１０】
【実施例】
次に、本発明に係る好適な実施例を挙げ、図面に基づき詳細に説明する。
【００１１】
まず、本実施例に係るロッカーシステム１の構成について、図１〜図３を参照して説明する。
【００１２】
ロッカーシステム１は、図１に示すように、複数のロッカー２ａ，２ｂ，２ｃ，２ｄ，２ｅ，２ｆ，２ｇ，２ｈ，２ｉを有するロッカーユニット２と、一台の管理装置１０を備える。
【００１３】
各ロッカー２ａ…には連続番号（ＩＤ）がそれぞれ付されており、この連続番号により各ロッカー２ａ…を特定することができる。ロッカー２ａにおいて、４ａがこの連続番号を表示した番号表示部を示す。一方、ロッカー２ａは、開閉する開閉扉３ａを有し、取手５ａにより開閉できるとともに、開閉扉３ａの開閉により、ロッカー２ａに対して品物（未洗濯物，洗濯物）を出入れすることができる。
【００１４】
また、ロッカー２ａには電磁錠６ａを付設する。この電磁錠６ａは、管理装置１０から出力する制御信号Ｓｃによって自動で施錠又は解錠される。なお、取手５ａの下方には、鍵穴７ａを有し、マスタキーにより手動でも施錠又は解錠することができる。さらに、開閉扉３ａには、表示ランプ８ａを付設する。この表示ランプ８ａは、ロッカー２ａの状態を表示するものであり、発光ダイオード等により、緑色，橙色又は赤色を選択的に表示できるとともに、点灯又は点滅させることができる。以上、ロッカー２ａについて説明したが、他のロッカー２ｂ〜２ｉも同様に構成する。
【００１５】
他方、管理装置１０は、図１に示すように、正面パネル１０ｐに、上から下に、表示部１２，操作部１１，課金機１３を有する。表示部１２は、液晶ディスプレイ等を利用し、各種案内や状態等を表示できる。また、操作部１１には、テンキー及びファンクションキーが含まれる。さらに、課金機１３は、硬貨投入部１５，紙幣挿入部１６及び釣銭等の返却部１７を有する。
【００１６】
一方、管理装置１０のハードウェアは、図２に示すように構成する。２１はマイクロコンピュータであり各種制御を実行する。このマイクロコンピュータ２１には、上述した操作部１１を接続するとともに、課金機１３を接続する。また、ドライバ２２を介して表示部１２を接続するとともに、出力部（通信部）２３を介してロッカーユニット２を接続する。この場合、ドライバ２２は、表示部１２に各種案内等を表示する表示データを書込んだメモリを有するとともに、出力部（通信部）２３は、各ロッカー２ａ…の電磁錠６ａ…を施錠又は解錠する制御信号Ｓｃ、さらには表示ランプ８ａ…を作動させる作動信号Ｓｓを出力（送信）する機能を有し、この制御信号Ｓｃ及び作動信号Ｓｓには、各ロッカー２ａ…のＩＤが含まれる。
【００１７】
次に、ロッカーシステム１の動作及びこのロッカーシステム１を利用した本実施例に係る品物受取方法について、図１〜図３を参照しつつ図４〜図６に示すフローチャートに従って説明する。なお、実施例は、ロッカーシステム１をコインランドリに設置した場合を示す。
【００１８】
ところで、コインランドリでは、全自動洗濯機等により利用者が自ら全ての洗濯処理を行うため、洗濯機等に空きがなかったり、自分の洗濯等を行っている間、待たされることになる。そこで、例えば、コインランドリの管理者が、利用者に代わって洗濯機等への未洗濯物及び洗濯物の出入を行なうようにすれば、利用者は、無用に待たされることはなくなる。本実施例は、この場合の利用者と管理者間における未洗濯物又は洗濯物の受取方法を実現したものである。
【００１９】
以下、この場合の受取方法について具体的に説明する。まず、利用者がコインランドリへ行き、未洗濯物を預ける場合について、図４に示すフローチャートを参照して説明する。最初に、利用者は、空ロッカー２ａ…があるか否かを確認する（ステップＳ１）。この場合、空ロッカー２ａ…は、図３に示すように、表示ランプ８ａ…が空ロッカーを表す緑色で点灯しているため、利用者はこの表示ランプ８ａ…を見て、空ロッカー２ａ…か否かを容易に確認できる。空ロッカー２ａ…がある場合、利用者は、選択した空ロッカー（所定ロッカー）２ａ…の開閉扉３ａ…を開き、未洗濯物を中に入れ、開閉扉３ａ…を閉じる（ステップＳ２，Ｓ３）。
【００２０】
そして、利用者は、管理装置１０における操作部１１のテンキーを押して、番号表示部４ａ…に表示されたロッカー番号を入力（指定）する（ステップＳ４）。この場合、表示部１２には、「ロッカー番号を入力して下さい」等の必要な案内が表示されるため、利用者は、この案内に従って操作することができる。次いで、利用者は、操作部１１のテンキーを押して、暗証番号を入力する（ステップＳ５）。これにより、制御信号Ｓｃ及び作動信号Ｓｓがロッカーユニット２に送信され、対応する所定ロッカー２ａ…が自動で施錠されるとともに、対応する所定ロッカー２ａ…における表示ランプ８ａ…は、図３に示すように、予約済を表す橙色で点灯する（ステップＳ６）。また、表示部１２には、予約済が表示される（ステップＳ７）。なお、入力時には、必要な洗濯条件、例えば、洗濯時間，希望洗濯終了時間等を入力することができる。以上により、利用者は、未洗濯物を所定ロッカー２ａ…に預けることができる。
【００２１】
次に、管理者が未洗濯物（洗濯物）を取扱う場合について、図５に示すフローチャートを参照して説明する。管理者は、通常、コインランドリの清掃やメンテナンス等を目的として、所定時間おきに監視（見廻り）を行う（ステップＳ１１）。この場合、監視時に、予約済がある場合、管理者は、利用者に代わって未洗濯物及び洗濯物を取扱う。即ち、管理者は、操作部１１から特定番号を入力し又はマスタキーにより、予約済に対応する所定ロッカー２ａ…を開けて未洗濯物を取出す（ステップＳ１２，Ｓ１３）。これにより、表示ランプ８ａ…は、図３に示すように、処理中を表す橙色で点滅する。
【００２２】
そして、管理者は、空いている洗濯機に未洗濯物を投入するなどにより、洗濯，乾燥等の一連の洗濯処理を行う（ステップＳ１４）。この際、洗濯条件が入力されている場合には、この洗濯条件に従う。一連の洗濯処理が完了したなら、管理者は、洗濯の終了した洗濯物を元の所定ロッカー２ａ…に戻し、開閉扉３ａ…を閉める（ステップＳ１５）。また、管理者は、操作部１１のテンキーから利用者に請求する金額を入力するとともに、操作部１１から特定番号を入力し又はマスタキーにより施錠を行なう（ステップＳ１６）。これにより、表示ランプ８ａ…は、図３に示すように、処理終了を表す赤色で点灯する。
【００２３】
次に、利用者が洗濯の終了した洗濯物を受取る場合について、図６に示すフローチャートを参照して説明する。利用者は、自分が預け時に指定した所定ロッカー２ａ…の表示ランプ８ａ…を確認する（ステップＳ２１）。この際、赤色が点灯していれば、処理が終了しているため、利用者は、管理装置１０の表示部１２に表示される案内に従い、操作部１１のテンキーからロッカー番号を入力する（ステップＳ２２，Ｓ２３）。次いで、暗証番号を入力する（ステップＳ２４）。これにより、表示部１２に料金が表示されるため、利用者は、課金機１３に硬貨或いは紙幣を投入して料金を清算する（ステップＳ２５）。以上の処理が終了すれば、制御信号Ｓｃ及び作動信号Ｓｓがロッカーユニット２に送信され、対応する所定ロッカー２ａ…が自動で解錠され、表示ランプ８ａ…は、図３に示すように、取出可能を表す赤色で点滅する（ステップＳ２６）。したがって、利用者は、開閉扉３ａ…を開け、ロッカー２ａ…の中から洗濯物を取出すことができる（ステップＳ２７）。そして、開閉扉３ａ…を閉じれば、表示ランプ８ａ…は、図３に示すように、空ロッカー２ａ…を表す緑色で点灯する。
【００２４】
このような受取方法により、利用者は、例えば、出勤途中でロッカーシステム１に未洗濯物を預け、帰りにロッカーシステム１から洗濯の終了した洗濯物を取出して持ち帰ることができる。よって、本実施例に係るロッカーシステム１及び品物受取方法によれば、遠隔操作により施錠又は解錠される開閉扉３ａ…を有する複数のロッカー２ａ…を備えるロッカーシステム１であっても、システムの簡略化により低コストに実施できるとともに、鍵を用いる一般的なコインロッカーと同様の手軽さで利用することができる。また、ロッカーシステム１は、貸しロッカー以外の多目的に利用できるなど多目的性（多用途性）も実現される。
【００２５】
以上、実施例について詳細に説明したが、本発明はこのような実施例に限定されるものではなく、細部の構成，形状，数量，用途等において、本発明の要旨を逸脱しない範囲で任意に変更，追加，削除することができる。例えば、利用者が預ける品物として未洗濯物（洗濯物）を例示したが、その他、現像用写真フィルム，荷物，修理品等の各種用途における品物を同様に預けることにより、対応した処理を行うことができる。
【００２６】
【発明の効果】
このように、本発明に係るロッカーシステムは、少なくともロッカーの指定及び暗証番号の入力を行う操作部を有し、この操作部により指定したロッカーに対して施錠又は解錠を行う制御信号を出力する管理装置を備え、利用者が操作部を操作し、ロッカーの指定及び暗証番号の入力を行うことにより施錠又は解錠できるようにしたため、遠隔操作により施錠又は解錠される開閉扉を有する複数のロッカーを備えるロッカーシステムであっても、システムの簡略化により低コストに実施できるとともに、鍵を用いる一般的なロッカーと同様の手軽さで利用できるという顕著な効果を奏する。
【００２７】
また、本発明に係る品物受取方法は、このようなロッカーシステムを利用し、利用者が選択した所定ロッカーに品物を入れた後、操作部による所定ロッカーの指定及び暗証番号の入力により、所定ロッカーを施錠するとともに、管理者が操作部による操作又はマスタキーにより、所定ロッカーを解錠して品物を受取れるようにしたため、ロッカーシステムは、貸しロッカー以外の多目的に利用できるなど多目的性（多用途性）が実現される。
【００２８】
特に、好適な実施の態様により、ロッカーシステムをコインランドリに設置すれば、コインランドリによるサービス形態とクリーニングによるサービス形態の中間的なサービス形態を実現でき、利用者にとって、コインランドリにおける待ち時間が費やされる不具合が解消される。
【図面の簡単な説明】
【図１】本発明の好適な実施例に係るロッカーシステムの正面外観図、
【図２】同ロッカーシステムのハードウェアのブロック系統図、
【図３】同ロッカーシステムにおける表示ランプとロッカー状態の関係表、
【図４】本発明の好適な実施例に係る品物受取方法の処理手順を説明するためのフローチャート、
【図５】同品物受取方法の処理手順を説明するための他のフローチャート、
【図６】同品物受取方法の処理手順を説明するための他のフローチャート、
【符号の説明】
１      ロッカーシステム
２ａ…  ロッカー
３ａ…  開閉扉
１０    管理装置
１１    操作部
１２    表示部
１３    課金機
Ｓｃ    制御信号
【図１】
2004272332.tif 000003
【図２】
2004272332.tif 000004
【図３】
2004272332.tif 000005
【図４】
2004272332.tif 000006
【図５】
2004272332.tif 000007
【図６】
2004272332.tif 000008